(57)【要約】【課題】一枚の身生地と股布からなる極めて簡単な構成で、接合箇所が少なく着用感に優れ美しい下半身のシルエットを実現できる股部を有する衣類を提供する。【解決手段】少なくとも腹部２、臀部３および股部４を覆う形状に裁断された伸縮性を有する一枚の身生地１からなる股部を有する衣類である。股部２に開口部１４を形成し、その開口部１４を塞ぐ股布１６を取り付ける。【選択図】図１
2008223173.tif 000002
【特許請求の範囲】
【請求項１】
少なくとも腹部、臀部および股部を覆う形状に裁断された伸縮性を有する一枚の身生地からなる股部を有する衣類であって、股部に開口部を形成し、その開口部を塞ぐ股布を取り付けたことを特徴とする股部を有する衣類。
【請求項２】
前記身生地の両側縁を内方に折り返して前身頃で接合してあることを特徴とする請求項１に記載の股部を有する衣類。
【請求項３】
前記身生地の両側縁を外方に折り返して後身頃で接合してあることを特徴とする請求項１に記載の股部を有する衣類。
【請求項４】
前記身生地は、所定の部位に樹脂を付与または樹脂シートを熱接着して伸びを拘束するようにしてあることを特徴とする請求項１〜３のいずれか１項に記載の股部を有する衣類。
【請求項５】
前記開口部は、平面略舌片形状に形成されていることを特徴とする請求項１〜４のいずれか１項に記載の股部を有する衣類。
【請求項６】
前記股布は、開口部より一回り大きい同形状の伸縮生地で、裏面から当てて取り付けてあることを特徴とする請求項１〜５のいずれか１項に記載の股部を有する衣類。
【発明の詳細な説明】
【技術分野】
【０００１】
本発明は、ロングガードル、ショートガードル、ショーツ、スパッツなど身体に密着して着用される股部を有する衣類に関し、さらに詳しくは、１枚の身生地と股布で構成される体型補整のためのガードルやショーツなどに適する股部を有する衣類に関するものである。
【背景技術】
【０００２】
従来から、主として腹部や臀部、大腿部などの下半身を美しく補整して造形する股部を有する衣類の１つにガードルがある。そのガードルは、脚部の長いロングタイプと脚部の短いショートタイプがあり、伸縮性生地を用いて、腹部を覆う前身頃と臀部を覆う後身頃と大腿部を覆う左右両脚部および股部とで構成されている。
【０００３】
そして、前身頃の正面中央部に伸びないか又は伸びの少ない腹部当て布を設けて腹部の膨出を押さえて補整すると共に、臀部下部の後中心部近傍から脇方向に向かって斜め上向きに裏打ち布をガードル本体の裏側に設けてヒップを下方から持ち上げヒップアップさせてプロポーションのとれた美しい下半身を造形するガードルが知られている（例えば、特許文献１参照）。
【０００４】
【特許文献１】登録実用新案第３１０１７９９号公報
【発明の開示】
【発明が解決しようとする課題】
【０００５】
しかしながら、上記特許文献１のものは、前脇部と腹部との縫製、前脇部と裏打ち布との縫製、臀部と裏打ち布との縫製、臀部と臀部の縫製、腹部と股部の縫製など各部材を縫製することによって仕上げられており、多くの縫製作業が必要で手間と時間を要するばかりでなく、各部材は引っ張り応力の異なる生地との縫製によって皺の発生や装着時の違和感の原因となる。また、縫着部が肌に当たってゴロつき感が生じると共に、裏打ち布の部分と裏打ち布の存在しない部分との境界に厚みの相違による段差が生じ、その段差がアウターに反映し、アウターの外側から段差が見えてしまい、不体裁で着用者の外観を著しく低下させるという問題点がある。
【０００６】
本発明は、上記のような問題を解決することを課題として研究開発されたもので、一枚の身生地と股布からなる極めて簡単な構成で、接合箇所が少なく着用感に優れ美しい下半身のシルエットを実現できる股部を有する衣類を提供することを目的とする。
【課題を解決するための手段】
【０００７】
上記の課題を解決し、その目的を達成する手段として、本発明は、少なくとも腹部、臀部および股部を覆う形状に裁断された伸縮性を有する一枚の身生地からなる股部を有する衣類であって、股部に開口部を形成し、その開口部を塞ぐ股布を取り付けたことを特徴とする股部を有する衣類を開発し、採用した。
【０００８】
また、本発明では、上記のように構成した股部を有する衣類において、前記身生地の両側縁を内方に折り返して前身頃で接合してあることを特徴とする股部を有する衣類、および前記身生地の両側縁を外方に折り返して後身頃で接合してあることを特徴とする股部を有する衣類、および前記身生地は、所定の部位に樹脂を付与または樹脂シートを熱接着して伸びを拘束するようにしてあることを特徴とする股部を有する衣類、および前記開口部は、平面略舌片形状に形成されていることを特徴とする股部を有する衣類、および前記股布は、開口部より一回り大きい同形状の伸縮生地で、裏面から当てて取り付けてあることを特徴とする股部を有する衣類を開発し、採用した。
【発明の効果】
【０００９】
請求項１記載の発明によれば、一枚の身生地と股布とで構成されていることから、構造が極めて簡単になり、着用した時の伸縮バランスが均一になって履き心地がよくなる。また、接合箇所が少なくて厚くならず肌への悪影響がなくなる。さらに、開口部で股部が薄くなり、臀部に良く馴染み違和感がなくなって着用感が良い。
請求項２記載の発明によれば、身生地の両側縁を前身頃で接合して伸びを抑えてあるから、腹部の贅肉の膨出を抑えて腹部のラインを美しく補整してスマートな体型に造形できる。
請求項３記載の発明によれば、身生地の両側縁を後身頃で接合して伸びを抑えてあるから、腰部や臀部の贅肉の膨出を抑えて腰部から臀部にかけてのラインを美しく補整してスマートな体型に造形できる。
請求項４記載の発明によれば、所定の部位に樹脂を付与または樹脂シートを熱接着して伸びを拘束してあるから、当該部位の伸びが抑制され膨出を抑えてラインを美しく補整できる。
請求項５記載の発明によれば、開口部が平面略舌片形状に形成されているから、股布での塞ぎが簡単で確実にできる。
請求項６記載の発明によれば、股布は開口部より一回り大きい同形状の伸縮生地で、裏面から当てて取り付けてあるから、取り付け易くなると共に、股部は薄くて臀部にフィットし、違和感や締め付け感や窮屈感がなくなって着用感が良い。
【００１０】
以下に、本発明の第１実施の形態をセミ・ロングガードルの例で説明するが、ロングタイプ、ショートタイプのものであっても良いのは勿論のことである。図１は身生地の展開平面図、図２はガードルの斜視図、図３はガードルの底面図である。図４は図３のＡ−Ａ線断面図である。
【００１１】
１はポリウレタン繊維やナイロン繊維などでパワーネット、サテンネット、ツーウェイトリコットなどの伸縮性を有する経編地からなる一枚の身生地である。この身生地１は、腹部２、臀部３、股部４、左右両脚部５，５を覆う形状に裁断された幅の広い左右対称形状の一連の一枚生地で構成されている。この身生地１には、所定の部位、例えば、腹部２や臀部３などに樹脂を付与または樹脂シートを熱接着することにより伸びを拘束する部分が施されている。
【００１２】
身生地１の正面中央部には、小円状のライン６ａ−６ｂ−６ｃのくり抜き孔６が形成されてあり、そのくり抜き孔６の下端６ａ、６ｃから下方に向かって幅広くなる逆Ｖ字状の切込み部７を設け、その切込み部７の両側縁を左右両脚部５，５の内側縁５ａ，５ａに形成されている。
【００１３】
８は身生地１の両側縁の略中間部に、内方に向かって横Ｊ字状のライン８ａ−８ｂ−８ｃからなる切欠部である。この切欠部８，８の上半分には前身頃９の正面中央部に位置する腹部当て布１０，１０が上下端から徐々に外方に向かって膨らみ中間部で最大膨出部になる側縁１１，１１に形成してある。また、下半分には前記左右両脚部５，５の内側縁５ａ，５ａと接合する外側縁５ｂ，５ｂを側縁１１，１１より外方に突出した状態で形成してある。
【００１４】
このように構成された身生地１は、図１の展開状態から側縁１１，１１を内方に折り返して腹部当て布１０，１０を前身頃９の中央部になるように互いに重ね合わせ、一方の腹部当て布１０に塗着されたホットメルト接着剤や接着シート１２で他方の腹部当て布１０と接合した後、上端部の一部をミシン縫着して取り付けてある。
【００１５】
その後、一方の横Ｊ字状の切欠部８を、くり抜き孔６の右側に合致させると共に、他方の横Ｊ字状の切欠部８をくり抜き孔６の左側に合致させ、さらに左右両脚部５，５の外側縁５ｂ、５ｂに塗着されたホットメルト接着剤や接着シート１３，１３を内側縁５ａ，５ａに合わせて接着し、上下端部をミシン縫着して取り付けてある。
【００１６】
この時、股部４には横Ｊ字状の切欠部８と，円形状のくり抜き孔６との合致によって平面略舌片状の開口部１４が形成される。すなわち、図３に示すように、８ａ−８ｂ−８ｃラインからなる一方の横J字状の切欠部８を前身頃９の右側に、８ｄ−８ｅ−８ｆラインからなる他方の横J字状の切欠部８を前身頃９の左側に左右対称になるように配置し、６ａ−６ｂ−６ｃラインからなる小円状のくり抜き孔６を後身頃１５に配置することにより舌片状の開口部１４が略平面状に形成される。
【００１７】
そして、開口部１４に伸縮性生地で、開口部１４より一回り大きな平面略舌片状の股布１６を裏面側から当て、裏面周縁部のホットメルト接着剤や接着シート１７で股部４に接合すると共に、周縁部の一部をミシン縫着して取り付けてある。
【００１８】
このように構成された第１実施形態のガードル１の作用、効果を説明すると、一枚の身生地１の両側縁１１，１１を内方に折り返して前身頃９の正面中央部で左右の腹部当て布１０、１０が重ねられホットメルト接着剤や接着シート１２で接合してあるから、伸びを抑えられ、腹部の贅肉の膨出を抑えて補整効果が発揮できる。また、所定の部位に、樹脂を付与または樹脂シートを熱接着することにより当該部位の伸びを拘束でき補整することができる。さらに、一連で一枚の身生地１で構成されているから、着用した時の伸縮バランスが均一になって履き心地がよくなる。さらに、接合部が少なくかつ接合部が厚くならないので肌への悪影響がない。
【００１９】
また、股部４にはくり抜き孔６と切欠部８、８を合致させることにより、平面略舌片状の開口部１４が形成され、その開口部１４に伸縮性生地の股布１６をホットメルト接着剤や接着シート１７で接合し、周縁の一部をミシン縫着して塞ぎ、重合する部分は周縁部だけであるから、股部４は股布１６だけの一重状態となり、臀部の割れ目に沿ってフィットし易く、通気性に優れ蒸れを防ぐことができ、締め付け感や窮屈感がなくなり快適な着心地となる。また、股布１６は熱溶着または接着剤１７の接合と共に部分的にミシン縫着されてあるから、繰り返し行われる洗濯によっても外れたりすることがなくなる。
【００２０】
つぎに、図５、図６に示すのは本発明の第２実施形態を示しており、上記第１実施の形態と異なるのは、身生地１の正面中央部に形成されている切込み部７の形状を逆Ｖ字状から逆Ｕ字状に変わった点と、身生地１の両側縁１１，１１を前身頃９で接合していたのが後身頃１５で接合する点に変わっただけであり、その他の構造には相違するところはない。したがって、第１実施の形態と同一の部分には同一の符号が付してある。
【００２１】
この第二実施の形態にしたがえば、後身頃１５の背面中央部で側縁１１，１１が重なって接合されており伸縮性を抑えられてあるから、腰部およびや臀部の膨出を押さえ補整を行うことができ、下半身を美麗なシルエットにできる利点がある。
【００２２】
以上、本発明の主要な実施の形態について説明したが、本発明は、これらの実施の形態に限定されるものではなく、例えば、ロングガードルやショートガードルあるいはショーツなどでもよく、要するに発明の目的を達成でき、かつ発明の要旨を逸脱しない範囲内において種々の設計変更が可能であることは言うまでもない。
【産業上の利用可能性】
【００２３】
本発明は、ロングガードル、ショートガードル、ショーツ、スパッツなど身体に密着して着用される衣料に適用することができる。
【図面の簡単な説明】
【００２４】
【図１】第１実施形態の身生地の展開平面図である。
【図２】第１実施形態のガードルの前面斜視図である。
【図３】第１実施形態のガードルの底面図である。
【図４】図３のＡ−Ａ線断面図である。
【図５】第２実施形態の身生地の展開平面図である。
【図６】第２実施形態のガードルの後面背面図である。
【符号の説明】
【００２５】
１    身生地    
２    腹部    
３    臀部
４    股部
９    前身頃
１４  開口部
１５  後身頃
１６  股布
【図１】
2008223173.tif 000003
【図２】
2008223173.tif 000004
【図３】
2008223173.tif 000005
【図４】
2008223173.tif 000006
【図５】
2008223173.tif 000007
【図６】
2008223173.tif 000008